【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
大気から電力を発生させるための風力発電装置（１）であって、該風力発電装置（１）は流路（３）を備え、該流路（３）通って、大気は空気流の形成によって導かれるものであり、前記流路（３）は、境界を形成する外側スリーブ（６）を有し、さらに、
一定の断面を有する第１の区域（７）であって、内部に大気が導かれることが可能であり、空気加速装置（３９）が当該第１の区域（７）内に備えられている第１の区域（７）と、
ベンチュリノズル（１０）の形状で設計されている第２の区域（９）と、
前記第２の区域（９）に続く第３の区域（１１）であって、当該第３の区域（１１）内に回転子（６０）が設置され、該回転子（６０）は通過して流れる空気流によって回転するようにされ、該回転子（６０）の回転が電力を発生させる働きをする第３の区域（１１）と、
ラバルノズル（１２）の形状で設計される第４の区域（１３）と、
前記流路（３）に導かれた空気を排出する働きをする第２の空気加速装置（８５）を備える第５の区域（１５）と
を備えることを特徴とする風力発電装置。
【請求項２】
請求項１に記載の風力発電装置であって、
前記流路（３）における前記第１の区域（７）及び前記第５の区域（１５）の少なくとも一方の前記空気加速装置（３９、８５）が、少なくとも１つのファンを備えること
を特徴とする、風力発電装置。
【請求項３】
請求項１又は請求項２に記載の風力発電装置であって、
前記流路（３）における前記第１の区域（７）及び前記第５の区域（１５）の少なくとも一方の前記空気加速装置（３９、８５）の、大気の流れ方向からみて下流に、流れガイド装置（４９、８７）を備え、前記空気加速装置によって生じた乱れた空気流及び回転している空気流の少なくとも一方を層流へと変換させること
を特徴とする風力発電装置。
【請求項４】
請求項３に記載の風力発電装置であって、
前記流れガイド装置（４９、８７）は下流固定子であること
を特徴とする風力発電装置。
【請求項５】
請求項３に記載の風力発電装置であって、
前記流れガイド装置（４９、８７）が、平行管装置であること
を特徴とする風力発電装置。
【請求項６】
請求項３から請求項５のいずれか１つに記載の風力発電装置であって、
前記流れガイド装置が、下流固定子及び平行管装置（１０１、１１２）の両方を備えること
を特徴とする、風力発電装置。
【請求項７】
請求項１から請求項６のいずれか１つに記載の風力発電装置であって、
前記第１の区域（７）における前記空気加速装置（３９）、及び、前記第５の区域（１５）の少なくとも一方における前記空気加速装置（８５）、の上流に、空気流を層流とするため空気ガイド装置（２７、７９）を備えることを特徴とする、風力発電装置。
【請求項８】
請求項７に記載の風力発電装置であって、
平行管装置（１０１、１１２）が、前記第５の区域（１５）の前記空気ガイド装置（８７）の上流に備えられていること
を特徴とする、風力発電装置。
【請求項９】
請求項５から請求項８のいずれか１つに記載の風力発電装置であって、
前記平行管装置（１１２）が、中央管の周りに同心円状に配置された複数の管（１１３）から形成されていること
を特徴とする、空気加速装置。
【請求項１０】
請求項１から請求項９のいずれか１つに記載の風力発電装置であって、
前記流路（３）は、１５°あるいは１５°より小さい角度αでベンチュリノズル（９）のエリアにおいて幅狭になっていくこと
を特徴とする、空気加速装置。
【請求項１１】
請求項１から請求項１０のいずれか１つに記載の風力発電装置であって、
前記流路（３）は、前記回転子（６０）の下流の前記第４の区域（１３）において、７°あるいは７°より小さい角度βで拡大すること
を特徴とする、風力発電装置。
【請求項１２】
請求項１から請求項１１のいずれか１つに記載の風力発電装置であって、
前記第１の区域（７）のエリアにおける前記流路（３）の直径は、前記第５の区域（１５）のエリアにおける直径と同じであること
を特徴とする、風力発電装置。
【請求項１３】
請求項１から請求項１２のいずれか１つに記載の風力発電装置であって、
前記流路（３）の出口（５）にかかる該断面は、前記流路（３）の前記入口（４）にかかる断面より大きい、２倍の大きさであること
を特徴とする、風力発電装置。
【請求項１４】
請求項３から請求項１３のいずれか１つに記載の風力発電装置であって、
前記第１の区域（７）内の前記空気加速装置（３９）に続く前記流れガイド装置（４９）の下流に、先細の管状部（１０８）が設けられ、該先細の管状部（１０８）にはフローコーン（１０９）が設けられ、該フローコーン（１０９）はある点まで先細となり、該フローコーンに沿って該空気流が流れるものであって、前記フローコーン（１０９）の先細となる前記角度αは１５°あるいは１５°より小さいこと
を特徴とする風力発電装置。
【請求項１５】
請求項１４に記載の風力発電装置であって、
一定の断面（１０７）の部分には、もう１つの流れガイド装置（１０１、１１２）が設けられ、前記流路の前記先細になるあるいは幅狭になる管状部（１０８）の後に続き、該一定の断面（１０７）が設けられていること
を特徴とする風力発電装置。
【請求項１６】
請求項１から請求項１５のいずれか１つに記載の風力発電装置であって、
前記第２の区域（９）内には、先端（１２０）から前記回転子のハブの断面まで拡大しているコーン（１１９）が設けられ、該コーンの拡大角度αは、前記ベンチュリノズルの先細の角度αと同じであること
を特徴とする風力発電装置。
【請求項１７】
請求項１から請求項１６のいずれか１つに記載の風力発電装置であって、
前記第４の区域（１３）内には、先端（１２２）まで先細になっているコーン（１２１）が設けられ、該コーンの出口断面は、前記回転子（６０）のハブにおける断面と同じであって、前記コーン（１２１）の先細の角度βは、前記ラバルノズルの拡張角度βと同じであること
を特徴とする風力発電装置。
【請求項１８】
請求項１から請求項１７のいずれか１つに記載の風力発電装置であって、
前記第４の区域（１３）に隣接して、前記流路（３）の流れ鎮静部（１１６）が設けられ、該流れ鎮静部（１１６）は、一定の外径を備え、追加の流れガイド装置（１２４）をも備えること
を特徴とする風力発電装置。
【請求項１９】
請求項１から請求項１８のいずれか１つに記載の風力発電装置であって、
前記第５の区域（１５）の上流であって、前記流れガイド装置の前に、先端から角度βで拡大するコーンが備えられ、該コーンの端部断面が実質的には前記流れガイド装置（７９）のハブの断面と同じであること
を特徴とする風力発電装置。
【請求項２０】
請求項１から請求項１９のいずれか１つに記載の風力発電装置であって、
前記回転子（６０）は軸（６８）上に支持され、該軸（６８）は、前記軸受装置（５９）に回転不可能に接続され、該軸受装置（５９）内に前記回転子（６０）は前記流路の前記外側スリーブの一部を形成する外側管状部（７０）を備え、該外部スリーブ内に前記外側管状部（７０）は歯車リブ（８０）を備え、該歯車リブ（８０）は前記回転子（６０）の回転を歯車部によって発電機へ伝達する働きをすること
を特徴とする、風力発電装置。
【請求項２１】
請求項２０に記載の風力発電装置であって、
前記回転子（６０）の回転動作を伝達するために、少なくとも２つの、ピニオンであって、外周に等しく配列されているピニオンが設けられ、それぞれの前記ピニオンは駆動軸に接続され、それぞれの前記駆動軸は発電機に接続されていること
を特徴とする、風力発電装置。
【請求項２２】
請求項１から請求項１９のいずれか１つに記載の風力発電装置であって、
前記第３の区域（１１）は、前記回転子（６０）の回転を少なくとも１つの出力軸（７１）の回転動作へ変換する歯車部（６３）を備え、該出力軸（７１）は、前記流路（３）から垂直に延出し、発電機（２３）を駆動させる働きをするものであること
を特徴とする風力発電装置。
【請求項２３】
請求項２２に記載の風力発電装置であって、
前記歯車部（６３）は、筐体（６５）を備え、該筐体（６５）内に軸（６７）が支持され、該軸（６７）の一方の端部は前記筐体の外で回転子（６）と接続され、他方の端部は９０°をなしている取出軸（７１）に接続されており、前記歯車部の前記筐体（６５）は、軸受板（６２）を有する軸受装置（５９）内に支持され、該軸受板は前記流路（３）の前記外側スリーブ（６）に接続されていること
を特徴とする、風力発電装置。
【請求項２４】
請求項１から請求項１９のいずれか１つに記載の風力発電装置であって、
前記回転子は軸に取り付けられ、該軸は回転不可能に前記軸受装置に接続され、該軸受装置内に、前記回転子は外側部を備え、該外側部は前記発電機の前記回転子及び前記電機子の少なくとも一方を駆動させること
を特徴とする風力発電装置。
【請求項２５】
請求項１から請求項２４のいずれか１つに記載の風力発電装置であって、
前記風力発電装置はスタンド（１３５）内に配置され、該スタンドは回転可能に支持されていること
を特徴とする、風力発電装置。
【請求項２６】
請求項２５に記載の風力発電装置であって、
前記スタンドが、底部壁（１３７）と、屋根部（１３６）と、複数の支柱（１３８）とを有し、前記流路（３）の前記第１から第５の区域（７、９、１１、１３、１５）が最外の前記支柱の間に配置されていること
を特徴とする風力発電装置。
【請求項２７】
請求項２６に記載の風力発電装置であって、
当該風力発電装置（１）は、前記底板（１３７）から一定の間隙をあけて配置されていること
を特徴とする風力発電装置。
【請求項２８】
請求項２５から請求項２７のいずれか１つに記載の風力発電装置であって、
追加のベンチュリノズル（１４１）が前記空気流入口側（４）に備えられていること
を特徴とする、風力発電装置。
【請求項２９】
請求項２５から請求項２８のいずれか１つに記載の風力発電装置であって、
追加のラバルノズル（１４２）が前記空気排出側（５）に備えられていること
を特徴とする風力発電装置。
【請求項３０】
請求項２５から請求項２９のいずれか１つに記載の風力発電装置であって、
前記回転可能なスタンド（１３５）は、液体（１５６）に浮かぶ回転可能な浮揚ユニット（１４６）を備えること
を特徴とする、風力発電装置。
【請求項３１】
請求項３０に記載の風力発電装置であって、
前記液体（１５６）は、円形の枡体（１５５）内に保持され、該枡体（１５５）内に前記浮揚ユニット（１４６）が配置されていること
を特徴とする、風力発電装置。
【請求項３２】
請求項２５から請求項３１のいずれか１つに記載の風力発電装置であって、
キングピン（１５７）が、前記浮揚ユニット（１４６）の底板（１４７）から下方に突出し、軸受ブロック（１６０）内に形成されている軸受（１５９）内に回転可能に支持されていること
を特徴とする風力発電装置。
【請求項３３】
請求項３２に記載の風力発電装置であって、
周形の軸受部（１６１）が、前記浮揚ユニット（１４６）の側壁（１４８）と枡体（１５５）との間で、前記液体（１５８）の水面より上方に配置されていること
を特徴とする風力発電装置。
【請求項３４】
請求項１から請求項３３のいずれか１つに記載の風力発電装置であって、
当該風力発電装置が垂直方向に配置されていること
を特徴とする風力発電装置。
【請求項３５】
請求項３４に記載の風力発電装置であって、
半円形状の設計である空気供給装置（１９０）が、当該風力発電装置（１）の上方入口に備えられていること
を特徴とする風力発電装置。
【請求項３６】
請求項３４又は請求項３５に記載の風力発電装置であって、
フロー偏向装置（１９２）は、前記出口側（５）に備えられ、垂直方向から水平方向へ流出される空気流を偏向させる流路（１９３）を備えること
を特徴とする風力発電装置。
【請求項３７】
請求項３６に記載の風力発電装置であって、
前記流路（１９３）は偏向体（１９４）内に配置され、該偏向体（１９４）の周りで大気が流れること
を特徴とする風力発電装置。
【請求項３８】
請求項３６又は請求項３７に記載の風力発電装置であって、
前記流路（１９３）が流れ方向に拡張し、追加の空気加速装置（１９５）を備えること
を特徴とする風力発電装置。
【請求項３９】
請求項３６から請求項３８のいずれか１つに記載の風力発電装置であって、
前記流路（１９３）の、流れの方向に対して下流において、いくつかのバッフルプレート（１９６）が配置され、該バッフルプレート（１９６）は、前記流路（１９３）の断面部を越えて突出していること
を特徴とする風力発電装置。
【請求項４０】
請求項３４から請求項３９のいずれか１つに記載の風力発電装置であって、
当該装置を大気の最適な流れ方向に配向し保持する働きをする帆（１９１）が、当該風力発電装置（１）に取付けられていること
を特徴とする風力発電装置。
【請求項４１】
大気を利用して電力を発生させるための風力発電装置システム（１７０）であって、
請求項１から４０のいずれか１つに記載の、複数の風力発電装置（１）を備え、該複数の風力発電装置が互いに上にあるいは隣に配置されていること
を特徴とする風力発電装置システム。
【請求項４２】
請求項４１に記載の風力発電装置システムであって、
スタンドを備え、該スタンド内に、互いに上にあるいは隣に配置されている前記風力発電装置（１）が回転可能に支持されていること
を特徴とする、風力発電装置システム。
【請求項４３】
大気から、移動する大気から電力を発生させるための方法であって、
大気を流路（３）の第１の区域（７）へ導くステップと、
前記流路（３）の前記第１の区域（７）に設置された加速装置（３９）によって空気流を加速するステップと、
ベンチュリノズルの形状である前記流路における圧縮によって、前記流路（３）の前記第２の区域（９）で前記空気流をさらに加速するステップと、
前記流路（３）の第３の区域（１１）を通って該空気流と、該区域にある回転子（６０）の駆動を伝達するステップと、
ラバルノズルの形状で設計されている、前記流路（３）の第４の区域（１３）へ該空気流を排出するステップと、
前記流路（３）の第５の区域（１５）で該空気流を再び加速するステップと、
外気へと該空気流を排出し、前記流路を通る通路中で該空気流から再び運動エネルギー及び熱エネルギーの両方を抽出するステップと
を含むことを特徴とする、移動する大気から電力を発生させるための方法。
【請求項４４】
請求項４３に記載の方法であって、
前記流路における前記第１の区域（７）及び前記第５の区域（１５）の少なくとも一方の前記加速装置（３９、８７）の上流において、流入された空気が層流として整流されること
を特徴とする、移動する大気から電力を発生させるための方法。
【請求項４５】
請求項４３又は請求項４４に記載の方法であって、
前記流路における前記第１の区域（７）及び前記第５の区域（１５）の少なくとも一方の前記加速装置（３９、８７）の下流において、通過して流れる空気が再び層流として整流されること
を特徴とする、移動する大気から電力を発生させるための方法。
【請求項４６】
請求項４３から請求項４５のいずれか１つに記載の方法であって、
空気流が前記流路の前記第３の区域（１１）へ流入する時までに該空気流が所定の速度に達するように、前記流路の前記第１の区域及び前記第２の区域において、該空気流が加速されること
を特徴とする、移動する大気から電力を発生させるための方法。
【請求項４７】
請求項４３から請求項４６のいずれか１つに記載の方法であって、
前記第５の区域によって、前記第４の区域内に負圧を発生させること
を特徴とする、移動する大気から電力を発生させるための方法。
【請求項４８】
請求項４３から請求項４７のいずれか１つに記載の方法であって、
電力を発生させるプロセスの開始時に、外部からの力によって加速装置が駆動され、安定した電力の発生状態に到達した後、該加速装置には発生させた電力が供給されること
を特徴とする。移動する大気から電力を発生させるための方法。